【事件の表示】
　特許第２７８１７８０号「ユニットルームへのドア枠取り付け構造」の請求項１及び２に係る特許に対する特許異議の申立てについて、次のとおり決定する。
【結　論】
　訂正を認める。
　本件特許異議の申立てを却下する。
【理　由】
〔１〕手続の経緯
　特許第２７８１７８０号発明は、平成８年６月２５日に出願され、平成１０年５月１５日に特許権の設定の登録がなされ、その後、笠原淳より特許異議の申立てがなされ、当審において取消理由通知がなされたところ、その指定期間内に平成１１年１１月１６日付けで訂正請求がなされたものである。
　
〔２〕訂正請求について
１．訂正の内容
　訂正請求の趣旨は、特許第２７８１７８０号の明細書を訂正請求書に添付した訂正明細書のとおり訂正することを求めるものであり、その訂正の内容は以下のａ〜ｃのとおりである。
　ａ．明細書の特許請求の範囲の
「【請求項１】　引き戸がスライド移動するスライドレールと、引き戸が収納配置される戸袋を備えたドア枠をユニットルームの外側に設置し、ドア枠の下部にドア枠をユニットルームの高さ方向に調整自在とするアジャスターを設けて成ることを特徴とするユニットルームへのドア枠取り付け構造。
【請求項２】　ドア枠はユニットルームに対して連結固定されていることを特徴とする請求項１記載のユニットルームへのドア枠取り付け構造。
【請求項３】　ドア枠と、このドア枠にねじ止めされるドア支持ボルトとの間に隙間を設け、この隙間に調整用のスペーサを介在させて成ることを特徴とする請求項１記載のユニットルームへのドア枠取り付け構造。
【請求項４】　ドア枠上部をユニットルームの壁パネルに対してスライド位置調整自在に取着して成ることを特徴とする請求項１記載のユニットルームへのドア枠取り付け構造。」を、
「【請求項１】　引き戸がスライド移動するスライドレールと、引き戸が収納配置される戸袋を備えたドア枠をユニットルームの外側に設置し、ドア枠の下部にドア枠をユニットルームの高さ方向に調整自在とするアジャスターを設けて成るとともに、ドア枠上部をユニットルームの壁パネルに対してスライド位置調整自在に取着して成ることを特徴とするユニットルームへのドア枠取り付け構造。
【請求項２】　ドア枠と、このドア枠にねじ止めされるドア支持ボルトとの間に隙間を設け、この隙間に調整用のスペーサを介在させて成ることを特徴とする請求項１記載のユニットルームへのドア枠取り付け構造。」に訂正する。
　
　ｂ．明細書の段落【０００４】〜【０００６】を、段落【０００４】及び【０００５】とし、「【０００４】【課題を解決するための手段】上記目的を達成するために、請求項１の発明では、引き戸１がスライド移動するスライドレール２と、引き戸１が収納配置される戸袋３を備えたドア枠４をユニットルームＹの外側に設置し、ドア枠４の下部にドア枠４をユニットルームＹの高さ方向に調整自在とするアジャスター５を設けるとともに、ドア枠４上部をユニットルームＹの壁パネル９に対してスライド位置調整自在に取着したことを特徴とするものであり、戸袋３を備えたドア枠４をアジャスター５にて確実に支持固定することができると共に、ドア枠４の設置状態の微調整を行って正確にドア枠４を設置することができる。しかも、ドア枠４上部を位置調整しながらユニットルームＹに対して連結固定することができる。
【０００５】　請求項２の発明では、請求項１においてドア枠４と、このドア枠４にねじ止めされるドア支持ボルト６との間に隙間７を設け、この隙間７に調整用のスペーサ８を介在させたことを特徴とするものであり、ドア枠４の設置精度をさらに向上させることができる。」に訂正する。
　
　ｃ．明細書の段落【００２０】〜【００２２】を、【００１９】及び【００２０】とし、「【００１９】【発明の効果】　請求項１の発明は、引き戸がスライド移動するスライドレールと、引き戸が収納配置される戸袋を備えたドア枠をユニットルームの外側に設置し、ドア枠の下部にドア枠をユニットルームの高さ方向に調整自在とするアジャスターを設けてあるので、戸袋を備えたドア枠をアジャスターにて確実に支持固定することができると共に、ドア枠の設置状態の微調整を行って正確にドア枠を設置することができるものである。しかも、ドア枠上部をユニットルームの壁パネルに対してスライド位置調整自在に取着してあるので、ドア枠上部を位置調整しながらユニットルームに対して連結固定することができるものであり、ドア枠の設置精度を向上させることができるものである。
【００２０】　請求項２の発明は、請求項１においてドア枠と、このドア枠にねじ止めされるドア支持ボルトとの間に隙間を設け、この隙間に調整用のスペーサを介在させてあるので、請求項１の効果に加えてドア枠の設置精度をさらに向上させることができるものである。」に訂正する。
　
２．訂正の適否
（１）訂正の目的等について
　訂正ａは、特許請求の範囲の請求項１及び２を削除し、それに伴い請求項４を請求項１とし、請求項３のドア枠上部の取り付け構造を限定して請求項４としたものであり、特許請求の範囲の減縮を目的とするものである。
　また、訂正ｂ及びｃは、特許請求の範囲の訂正に伴い、特許請求の範囲の記載との整合を図るために明細書の発明の詳細な説明を訂正するものであって、明りようでない記載の釈明を目的とするものである。
　そして、これらの訂正ａ〜ｃは、特許明細書又は図面に記載した事項の範囲内のものであり、しかも実質上特許請求の範囲を拡張し、又は変更するものではない。
　
（２）独立特許要件について
　訂正明細書の請求項２に係る発明は、訂正明細書の特許請求の範囲の請求項２に記載されたとおりのものである。（〔２〕１．ａ　参照。）
　当審で通知した取消理由で引用した刊行物１（特公平４−１２７９８号公報、異議申立人が提出した甲第１号証）には、５欄１１行〜６欄２４行の記載、第１図及び第２図の記載からみて、「引戸４がスライド移動するレール１ｅと、引戸４が収納配置される引戸収納部１ａを備えた基枠１（訂正明細書の請求項２に係る発明の「ドア枠」に相当する。）をユニット室（同「ユニットルーム」に相当する。）の外側に配置し、基枠１の下部に基枠１をユニット室の高さ方向に調節自在とする持上脚３（同「アジャスター」に相当する。）を設けて成るユニット室への基枠１取り付け構造」が記載されていると認められる。
　しかしながら、刊行物１には、訂正明細書の請求項２に係る発明の構成要件である、「ドア枠上部をユニットルームの壁パネルに対してスライド位置調整自在に取着して成る」点、及び「ドア枠と、このドア枠にねじ止めされるドア支持ボルトとの間に隙間を設け、この隙間に調整用のスペーサを介在させて成る」点が記載されていない。
　そして、訂正明細書の請求項２に係る発明は上記の構成を備えることにより、「ドア枠上部を位置調整しながらユニットルームに対して連結固定することができる」、「ドア枠の設置精度を向上させることができる」という刊行物１に記載されたものからは期待できない効果を奏するものである。
　したがって、訂正明細書の請求項２に係る発明は、刊行物１に記載されたものに基いて当業者が容易に発明をすることができたものとすることはできない。
　また、他に訂正明細書の請求項２に係る発明が特許出願の際独立して特許を受けることができないとする理由を発見しない。
　よって、訂正明細書の請求項２に係る発明は、特許出願の際独立して特許を受けることができるものである。
　
（３）まとめ
　以上のとおりであるから、訂正ａ〜ｃは、特許法第１２０条の４第２項ただし書１号又は３号に掲げる事項を目的とし、同条３項で準用する同法第１２６条２〜４項の規定に適合するので、本件訂正請求を認める。
　
〔３〕特許異議の申立てについて
　特許異議申立人は、請求項１及び２に係る発明の特許の取り消しを求めているところ、その請求項１及び２は、上記のとおり訂正の結果、削除されたから、特許異議の申立ての対象が存在しないこととなった。
　したがって、本件特許異議の申立ては、不適法な特許異議の申立てであって、その補正をすることができないものであるから、特許法１２０条の６第１項において準用する同法１３５条の規定により却下すべきものである。
　よって、結論のとおり決定する。
【異議決定日】
平成１２年３月３日（２０００．３．３）
【訂正の要旨】
〔訂正の要旨〕
　特許第２７８１７８０号の明細書を、特許請求の範囲の減縮を目的として、下記ａのとおり、明瞭でない記載の釈明を目的として下記ｂ及びｃのとおり訂正する。
　ａ．明細書の特許請求の範囲の
「【請求項１】　引き戸がスライド移動するスライドレールと、引き戸が収納配置される戸袋を備えたドア枠をユニットルームの外側に設置し、ドア枠の下部にドア枠をユニットルームの高さ方向に調整自在とするアジャスターを設けて成ることを特徴とするユニットルームへのドア枠取り付け構造。
　【請求項２】　ドア枠はユニットルームに対して連結固定されていることを特徴とする請求項１記載のユニットルームヘのドア枠取り付け構造。
　【請求項３】　ドア枠と、このドア枠にねじ止めされるドア支持ボルトとの間に隙間を設け、この隙間に調整用のスペーサを介在させて成ることを特徴とする請求項１記載のユニットルームヘのドア枠取り付け構造。
　【請求項４】　ドア枠上部をユニットルームの壁パネルに対してスライド位置調整自在に取着して成ることを特徴とする請求項１記載のユニットルームヘのドア枠取り付け構造。」を、
「【請求項１】　引き戸がスライド移動するスライドレールと、引き戸が収納配置される戸袋を備えたドア枠をユニットルームの外側に設置し、ドア枠の下部にドア枠をユニットルームの高さ方向に調整自在とするアジャスターを設けて成るとともに、ドア枠上部をユニットルームの壁パネルに対してスライド位置調整自在に取着して成ることを特徴とするユニットルームヘのドア枠取り付け構造。
　【請求項２】　ドア枠と、このドア枠にねじ止めされるドア支持ボルトとの間に隙間を設け、この隙間に調整用のスペーサを介在させて成ることを特徴とする請求項１記載のユニットルームヘのドア枠取り付け構造。」に訂正する。
　ｂ．明細書の段落【０００４】〜【０００６】を、「上記目的を達成するために、請求項１の発明では、引き戸１がスライド移動するスライドレール２と、引き戸１が収納配置される戸袋３を備えたドア枠４をユニットルームＹの外側に設置し、ドア枠４の下部にドア枠４をユニットルームＹの高さ方向に調整自在とするアジャスター５を設け、さらに、ドア枠４上部をユニットルームＹの壁パネル９に対してスライド位置調整自在に取着したことを特徴とするものであり、戸袋３を備えたドア枠４をアジャスター５にて確実に支持固定することができると共に、ドア枠４の設置状態の微調整を行って正確にドア枠４を設置することができる。しかも、ドア枠４上部を位置調整しながらユニットルームＹに対して連結固定することができる。
　請求項２の発明では、請求項１においてドア枠４と、このドア枠４にねじ止めされるドア支持ボルト６との間に隙間７を設け、この隙間７に調整用のスペーサ８を介在させたことを特徴とするものであり、ドア枠４の設置精度をさらに向上させることができる。」に訂正する。
　ｃ．明細書の段落【００２０】〜【００２２】を、「請求項１の発明は、引き戸がスライド移動するスライドレールと、引き戸が収納配置される戸袋を備えたドア枠をユニットルームの外側に設置し、ドア枠の下部にドア枠をユニットルームの高さ方向に調整自在とするアジャスターを設けてあるので、戸袋を備えたドア枠をアジャスターにて確実に支持固定することができると共に、ドア枠の設置状態の微調整を行って正確にドア枠を設置することができるものである。しかも、ドア枠上部をユニットルームの壁パネルに対してスライド位置調整自在に取着してあるので、ドア枠上部を位置調整しながらユニットルームに対して連結固定することができるものであり、ドア枠の設置精度を向上させることができるものである。
　請求項２の発明は、請求項１においてドア枠と、このドア枠にねじ止めされるドア支持ボルトとの間に隙間を設け、この隙間に調整用のスペーサを介在させてあるので、請求項１の効果に加えてドア枠の設置精度をさらに向上させることができるものである。」に訂正する。
（５４）【発明の名称】
ユニットルームヘのドア枠取り付け構造
（５７）【特許請求の範囲】
　【請求項１】　引き戸がスライド移動するスライドレールと、引き戸が収納配置される戸袋を備えたドア枠をユニットルームの外側に設置し、ドア枠の下部にドア枠をユニットルームの高さ方向に調整自在とするアジャスターを設けて成るとともに、ドア枠上部をユニットルームの壁パネルに対してスライド位置調整自在に取着して成ることを特徴とするユニットルームヘのドア枠取り付け構造。
　【請求項２】　ドア枠と、このドア枠にねじ止めされるドア支持ボルトとの間に隙間を設け、この隙間に調整用のスペーサを介在させて成ることを特徴とする請求項１記載のユニットルームヘのドア枠取り付け構造。
【発明の詳細な説明】
　【０００１】
　【発明の属する技術分野】
　本発明は、ユニットルームヘのドア枠取り付け構造に関するものである。
　【０００２】
　【従来の技術】
　従来、ユニットルームに設けられる扉を開閉自在に支持するドア枠は、両サイドをユニットルームの壁パネルにて固定するようになっていた。
　【０００３】
　【発明が解決しようとする課題】
　しかし、上述のように両サイドをユニットルームの壁パネルにて固定するようになっていると、ドア枠の縦方向及び横方向の調整が困難であるという問題があった。本発明は上記問題点の解決を目的とするものであり、上下前後方向の調整が容易に行えるユニットルームヘのドア枠取り付け構造を提供しようとするものである。
　【０００４】
　【課題を解決するための手段】
　上記目的を達成するために、請求項１の発明では、引き戸１がスライド移動するスライドレール２と、引き戸１が収納配置される戸袋３を備えたドア枠４をユニットルームＹの外側に設置し、ドア枠４の下部にドア枠４をユニットルームＹの高さ方向に調整自在とするアジャスター５を設けるとともに、ドア枠４上部をユニットルームＹの壁パネル９に対してスライド位置調整自在に取着したことを特徴とするものであり、戸袋３を備えたドア枠４をアジャスター５にて確実に支持固定することができると共に、ドア枠４の設置状態の微調整を行って正確にドア枠４を設置することができる。しかも、ドア枠４上部を位置調整しながらユニットルームＹに対して連結固定することができる。
　【０００５】
　請求項２の発明では、請求項１においてドア枠４と、このドア枠４にねじ止めされるドア支持ボルト６との間に隙間７を設け、この隙間７に調整用のスペーサ８を介在させたことを特徴とするものであり、ドア枠４の設置精度をさらに向上させることができる。
　【０００６】
　【発明の実施の形態】
　ユニットルームＹは床部の一端側に洗い場部４０が設けられ、他端部に浴槽部４１が設けられており、四方を壁パネル９にて囲うと共に上部には天井パネル１０が設置されている。このユニットルームＹに設けられる出入口用開口部１１には図１、図７に示されるようにユニットルームＹの外側に位置するようにドア枠４が設置されるようになっている。
　【０００７】
　このドア枠４は引き戸１がスライド移動するスライドレール２と、引き戸１が収納配置される戸袋３を備えており、下部の所定箇所に設けられたアジャスター５によって支持固定されるようになっている。各アジャスター５は高さ調整自在とされており、このアジャスター５によって高さ調整しながら正確にドア枠４をユニットルームＹの外側に設置することができるようになっている。
　【０００８】
　アジャスター５は図２乃至図４に示されるように上部にねじ部を備えたボルト体１２をドア枠４の下部に設けられたナット体１３に螺着することによって構成されており、ナット体１３に対するボルト体１２の螺合深さを調整することによって高さ寸法を自在に調整することができるようになっている。上記したアジャスター５は図１に示されるようにドア枠４の長手方向の両端部と中央部に配されるようになっている。
　【０００９】
　アジャスター５の上部には受け金具１４が設けられており、受け金具１４上にドア枠４が載設されるようになっている。また、受け金具１４の下部に上記したナット体１３が取り付けられている。ドア枠４は長手方向にわたって上下部に引き戸１をスライド移動自在に保持するスライドレール２を備えており、一端部には戸袋３が設けられている。
　【００１０】
　戸袋３の部分でのアジャスター５による支持は、図２に示されるように行われており、この部分においては受け金具１４は端部に連結突片１５を備えたものとして構成されており、連結突片１５はユニットルームＹに対して固着具２７にて連結固定されている。詳述すると図２に示されるものにおいては、ユニットルームＹの架台１６に対して連結固定されており、また、図５に示されるものにおいては、連結突片１５はユニットルームＹの壁パネル９に対して連結固定されている。
　【００１１】
　ここで、ドア枠４と、このドア枠４に対して受け金具１４を介してねじ止めされるドア支持ボルト６との間には隙間７が設けられており、この隙間７に調整用のスペーサ８を介在させることも可能であり、受け金具１４上でのドア枠４の設置位置を正確に位置出ししてドア枠４を受け金具１４上に設置することができるようになっている。
　【００１２】
　上記連結突片１５には上下方向に長くなった長孔２６が設けられており、固着具２７は長孔２６を介してユニットルームＹの架台１６に対して取り付けられるようになっている。ここで、長孔２６の範囲内で固着具２７の取り付け位置を調整することができるようになっていると共に、長孔２６の範囲内で連結突片１５の架台１６に対する連結位置を上下方向に位置調整することができるようになっている。
　【００１３】
　ドア枠４の中央部分でのアジャスター５による支持状態は図４に示されており、また、ドア枠４の他端部でのアジャスター５による支持状態は図３に示されている。戸袋３の部分以外のドア枠４のアジャスター５による支持状態は基本的に同じであり、戸袋３を支持するアジャスター５に用いられる受け金具１４より連結突片１５を無くした形態となっている。つまり、受け金具１４上にドア枠４を載置し、受け金具１４の端部の立ち上げ片１７とドア枠４とをドア支持ボルト６にて連結することによって相互に連結固定されている。ここで、このものにおいてもドア支持ボルト６と立ち上げ片１７との間に隙間７を設け、隙間７にスペーサ８を介在させるようにしてドア支持ボルト６にて固定することで受け金具１４上におけるドア枠４の設置位置を調整して正確な位置に設置することができるものである。
　【００１４】
　上記した各アジャスター５の下部は接着剤によって床スラブ上に接着固定されている。ドア枠４の戸袋３以外の部分は出入口部となるものであり、この部分にはユニットルームＹの出入口用開口部１１内に至るように出入口用開口部１１に接続される出入り用枠材１８が連結されるようになっている。ドア枠４の一部を構成する出入り用枠材１８はドア枠４とは別体となっているものであるが、図６に示されるように一端をユニットルームＹの出入口用開口部１１内に挿合し、他端を受け金具１４上に載置すると共にドア枠４に接続するようになっている。１９はドア枠４と出入り用枠材１８との間に設けられたシーリング材である。出入り用枠材１８の先部に設けられた踏み板部分２８はユニットルームＹの床パン２９の周縁の載置段部３０上に載設されている。３１は踏み板部分２８と載置段部３０との間に設けられたシーリング材である。
　【００１５】
　ドア枠４の上部を構成する出入り用枠材１８の上部には連結金具２０が設けられており、この連結金具２０によってドア枠４の上部がユニットルームＹに対して連結固定されている。連結金具２０は図９に示されるように縦片２１と横片２２とでし字状に形成されており、縦片２１には木ねじのような固着具２３を挿入するための通孔２４が設けられ、また、横片２２には横片２２の長手方向に沿うように長孔２５が設けられている。
　【００１６】
　連結金具２０の縦片２１を通孔２４を介して固着具２３にてユニットルームＹの壁パネル９に連結固定し、ドア枠４の上部内側より外側に打入された固着具２３を横片２２の長孔２５内に係合するようにして連結金具２０を介してドア枠４の上部がユニットルームＹに連結固定されている。ここで、ドア枠４の上部の固着具２３は横片２２の長孔２５内に打入されるようになっているために長孔２５の範囲内でドア枠４の上部をユニットルームＹに対して近接する方向あるいは離間する方向の前後方向に位置調整することができるものであり、ドア枠４の上部をユニットルームＹに対して連結固定する場合に微調整を行うことができて正確にドア枠４の上部をユニットルームＹに対して連結固定することができるようになっている。また、出入り用枠材１８の横枠１８ａの下部はビス３２止めにて出入口用開口部１１に固定されている。
　【００１７】
　そして、戸袋３を備えたドア枠４をユニットルームＹの外側に設置するようにしたものにおいて、ドア枠４を複数のアジャスター５によって支持するようにしているためにドア枠４を確実に支持固定することができるものであり、また、アジャスター５によって高さ調整することでドア枠４の設置状態の微調整を行って正確にドア枠４を設置することができる。
　【００１８】
　また、ドア枠４はドア枠４の下部を支持する受け金具２０及びドア枠４の上部をユニットルームＹに対して連結固定するようにしているために取り付けが確実なものとなっており、ユニットルームＹに対するドア枠４の取り付けば正確且つ確実に行われたものとなっている。
　【００１９】
　【発明の効果】
　請求項１の発明は、引き戸がスライド移動するスライドレールと、引き戸が収納配置される戸袋を備えたドア枠をユニットルームの外側に設置し、ドア枠の下部にドア枠をユニットルームの高さ方向に調整自在とするアジャスターを設けてあるので、戸袋を備えたドア枠をアジャスターにて確実に支持固定することができると共に、ドア枠の設置状態の微調整を行って正確にドア枠を設置することができるものである。しかも、ドア枠上部をユニットルームの壁パネルに対してスライド位置調整自在に取着してあるので、ドア枠上部を位置調整しながらユニットルームに対して連結固定することができるものであり、ドア枠の設置精度を向上させることができるものである。
　【００２０】
　請求項２の発明は、請求項１においてドア枠と、このドア枠にねじ止めされるドア支持ボルトとの間に隙間を設け、この隙間に調整用のスペーサを介在させてあるので、請求項１の効果に加えてドア枠の設置精度をさらに向上させることができるものである。
【図面の簡単な説明】
　【図１】本発明の一例を示す平断面図である。
　【図２】図１におけるイ部の部分拡大断面図である。
　【図３】図１におけるロ部の部分拡大断面図である。
　【図４】図１におけるハ部の部分拡大断面図である。
　【図５】ユニットルームヘの取付状態の他の実施形態を示す部分断面図である。
　【図６】引き戸の支持状態を示す部分拡大断面図である。
　【図７】ドア枠の設置状態を説明する一部省略した平断面図である。
　【図８】ドア枠上部のユニットルームヘの連結状態を示す部分断面図である。
　【図９】連結金具を示すものであり、（ａ）は平面図、（ｂ）は正面図である。
　【符号の説明】
Ｙ　ユニットルーム
１　引き戸
２　スライドレール
３　戸袋
４　ドア枠
５　アジャスター
６　ドア支持ボルト
７　隙間
８　スペーサ
９　壁パネル